(57)【特許請求の範囲】
【請求項１】
第１本体と第２本体とがスライドモジュールを介して互いに連結され、第１本体はフロントキャビネットとバックキャビネットを具え、スライドモジュールは、第２本体に連結されたベース部材と、ベース部材に対してスライド可能であって第１本体に連結されたスライド部材とを具えているスライド型電子機器において、
１或いは複数本のビスによって第１本体のフロントキャビネットとバックキャビネットとが互いに固定されると共に、複数本のビスが、前記バックキャビネットの背面側から第１本体の内部を伸びて、その先端部がスライドモジュールのスライド部材にねじ込まれ、該複数本のビスによって第１本体がスライドモジュールのスライド部材に連結されており、
前記第１本体のバックキャビネットには、前記複数本のビスの頭部が係止されるべき複数の座部が形成され、
前記スライドモジュールのスライド部材には、前記複数本のビスの先端部がそれぞれねじ込まれるべき複数本のボス片が、第１本体の内部に向けて突設され、前記ボス片は、前記第１本体のフロントキャビネットを貫通して、バックキャビネットの座部との対向位置まで伸びている、
ことを特徴とするスライド型電子機器。
【発明の詳細な説明】
【技術分野】
【０００１】
本発明は、第１本体と第２本体とが互いにスライド可能に連結されたスライド型電子機器に関するものである。
【背景技術】
【０００２】
従来、この種の電子機器においては、図１３に模式的に示す様に、第１本体(９)と第２本体(93)とがスライドモジュール(94)を介して互いに連結されており、スライドモジュール(94)は、互いにスライド可能に連結されたベース部材(95)とスライド部材(96)とを具え、スライド部材(96)が第１本体(９)に連結されると共に、ベース部材(95)が第２本体(93)に連結されている(特許文献１、２参照)。
【０００３】
具体的には、第１本体(９)は、複数本のビス(83)によって互いに固定されたフロントキャビネット(91)とバックキャビネット(92)を具え、該フロントキャビネット(91)が複数本のビス(82)によってスライドモジュール(94)のスライド部材(96)に固定されている。
【０００４】
該スライド型電子機器の組立工程においては、第２本体(93)にスライドモジュール(94)のベース部材(95)を固定した状態で、複数本のビス(82)を用いてスライドモジュール(94)のスライド部材(96)に第１本体(９)のフロントキャビネット(91)を固定し、その後、複数本のビス(83)を用いて該フロントキャビネット(91)にバックキャビネット(92)を固定する。
【先行技術文献】
【特許文献】
【０００５】
【特許文献１】特開２００５−２９１３１５号公報
【特許文献２】特開２００６−１２８８０８号公報
【発明の概要】
【発明が解決しようとする課題】
【０００６】
しかしながら、図１３に示すスライド型電子機器においては、スライドモジュール(94)のスライド部材(96)に第１本体(９)のフロントキャビネット(91)を固定するために複数本(例えば７本)のビス(82)が必要となると共に、第１本体(９)のフロントキャビネット(91)にバックキャビネット(92)を固定するために複数本(例えば７本)のビス(83)が必要となるため、ビスの総本数が多くなり、これによって機器の組立及び分解に時間がかかり、製造コストも増大する問題があった。
【０００７】
そこで本発明の目的は、組立に必要なビスの本数を削減することが出来るスライド型電子機器を提供することである。
【課題を解決するための手段】
【０００８】
本発明に係るスライド型電子機器においては、図１２に模式的に表わす様に、第１本体(１)と第２本体(２)とがスライドモジュール(３)を介して互いに連結され、第１本体(１)は、互いに固定されたフロントキャビネット(４)とバックキャビネット(６)を具えている。
スライドモジュール(３)は、第２本体(２)に連結されたベース部材(31)と、ベース部材(31)に対してスライド可能であって第１本体(１)に連結されたスライド部材(32)とを具えている。
【０００９】
ここで、１或いは複数本のビス(81)によって第１本体(１)のフロントキャビネット(４)とバックキャビネット(６)とが互いに固定されると共に、複数本のビス(８)が、前記バックキャビネット(６)の背面側から第１本体(１)の内部を伸びて、その先端部がスライドモジュール(３)のスライド部材(32)にねじ込まれ、該複数本のビス(８)によって第１本体(１)がスライドモジュール(３)のスライド部材(32)に連結されている。
【００１０】
上記本発明のスライド型電子機器においては、複数本のビス(８)が、バックキャビネット(６)の背面側から第１本体(１)の内部を伸びて、その先端部がスライドモジュール(３)のスライド部材(32)にねじ込まれることにより、第１本体(１)がスライドモジュール(３)のスライド部材(32)に連結されると同時に、これらのビス(８)が、第１本体(１)のフロントキャビネット(４)とバックキャビネット(６)とを互いに連結する役割(共締め効果)を発揮する。
【００１１】
従って、第１本体(１)のフロントキャビネット(４)とバックキャビネット(６)を互いに固定するために必要なビス(81)の本数は、前記複数本のビス(８)が発揮する連結強度に応じて、削減することが出来る。
この結果、第１本体(１)のフロントキャビネット(４)とバックキャビネット(６)を、両キャビネットの固定にのみ寄与するビスによって互いに固定していた従来の構成と比較して、必要なビスの本数は減少することになる。
【００１２】
具体的態様において、スライドモジュール(３)のスライド部材(32)には、前記複数本のビス(８)の先端部がそれぞれねじ込まれるべき複数本のボス片(34)が、第１本体(１)の内部に向けて突設されている。
【００１３】
該具体的態様によれば、機器の組立工程で、第１本体(１)と第２本体(２)をそれぞれ個別に組み立てると共に、第２本体(２)にスライドモジュール(３)を取り付けた状態で、スライドモジュール(３)に突設された複数本のボス片(34)を第１本体(１)の内部へ嵌入させることによって、第１本体(１)と第２本体(２)とがスライドモジュール(３)を介して互いに位置決めされた状態となる。そして、この状態で複数本のビス(８)をそれぞれボス片(34)へねじ込むことによって、第１本体(１)がスライドモジュール(３)のスライド部材(32)に固定されることになる。
【発明の効果】
【００１４】
本発明に係るスライド型電子機器によれば、組立に必要なビスの本数を削減することが出来る。
【図面の簡単な説明】
【００１５】
【図１】図１は、本発明の一実施形態であるスライド型電子機器の表面側を示す斜視図である。
【図２】図２は、該スライド型電子機器の背面側を示す斜視図である。
【図３】図３は、図１のＡ−Ａ線に沿う断面図である。
【図４】図４は、図１に示した開状態の電子機器を閉じた状態におけるＢ−Ｂ線に沿う断面図である。
【図５】図５は、該スライド型電子機器の図１に対応する分解斜視図である。
【図６】図６は、該スライド型電子機器の図２に対応する分解斜視図である。
【図７】図７は、スライドモジュールの斜視図である。
【図８】図８は、該スライドモジュールの背面側を示す斜視図である。
【図９】図９は、組立工程の最終段階を示す斜視図である。
【図１０】図１０は、図９とは異なる方向から見た同上の斜視図である。
【図１１】図１１は、同上の断面図である。
【図１２】図１２は、本発明に係るスライド型電子機器の構成を模式的に示す断面図である。
【図１３】図１３は、従来のスライド型電子機器の構成を模式的に示す断面図である。
【発明を実施するための形態】
【００１６】
以下、本発明の実施の形態につき、図面に沿って具体的に説明する。
本発明の一実施形態であるスライド型電子機器は、図１及び図２に示す如く、表面に複数の操作キー(11)を具えた扁平な第１本体(１)と、表面に画面(21)を具えた扁平な第２本体(２)とから構成され、第１本体(１)と第２本体(２)とは図７及び図８に示すスライドモジュール(３)によって互いにスライド可能に連結されている。
【００１７】
スライドモジュール(３)は、図７及び図８に示す如く、平板状のベース部材(31)と、該ベース部材(31)上にスライド可能に係合する平板状のスライド部材(32)と、ベース部材(31)とスライド部材(32)の間に介在する２つのスプリング(33)(33)とから構成されている。
これらのスプリング(33)(33)の反転動作と弾性反発力により、ベース部材(31)上のスライド部材(32)は、スライド方向に沿って、中間位置から一方のスライド端に向かって付勢されると共に、中間位置から他方のスライド端に向かって付勢される。
【００１８】
スライドモジュール(３)のスライド部材(32)の表面には、図７に示す如く４つの角部に、円筒状を呈する４本のボス片(34)〜(34)がそれぞれ溶接によって立設されている。
【００１９】
図３及び図４に示す様に、スライドモジュール(３)のベース部材(31)は第２本体(２)に連結され、スライドモジュール(３)のスライド部材(32)は第１本体(１)に連結されている。
【００２０】
図５及び図６に示す如く、第１本体(１)は、複数の操作キー(11)が配備されたフロントキャビネット(４)と、電池収容室(60)を有するバックキャビネット(６)と、両キャビネット(４)(６)内に収容される回路基板(５)と、バックキャビネット(６)の電池収容室(60)を覆う電池蓋(７)とを具えている。
電池収容室(60)に収容された電池(10)は、図６に示す如く回路基板(５)上に設置される。
【００２１】
第１本体(１)において、フロントキャビネット(４)とバックキャビネット(６)とを互いに固定するために、図５及び図６に示す２本のビス(81)(81)が用いられる。
図４に示す如く、第１本体(１)のバックキャビネット(６)には、各ビス(81)の頭部を係止すべき座部(62)が形成されると共に、フロントキャビネット(４)には、各ビス(81)がねじ込まれるべきボス部(41)が形成されている。
【００２２】
又、第１本体(１)をスライドモジュール(３)のスライド部材(32)に固定するために、図５及び図６に示す４本のビス(８)〜(８)が用いられている。
図４に示す如く、バックキャビネット(６)には、各ビス(８)の頭部を係止すべき座部(61)が形成されている。各座部(61)は、スライドモジュール(３)の各ボス片(34)の先端面と対向する。
【００２３】
４本のビス(８)〜(８)は、バックキャビネット(６)の背面側から第１本体(１)の内部を伸びて、それらの先端部がスライドモジュール(３)のスライド部材(32)の４つのボス片(34)〜(34)にねじ込まれる。
【００２４】
上記スライド型電子機器の組立工程では、先ず、図９〜図１１に示す様に第１本体(１)と第２本体(２)をそれぞれ個別に組み立てる。
この際、第２本体(２)には、スライドモジュール(３)のベース部材(31)を固定する。又、図４の如く２本のビス(81)(81)をそれぞれバックキャビネット(６)の背面側からフロントキャビネット(４)のボス部(41)へねじ込んで、フロントキャビネット(４)とバックキャビネット(６)を互いに固定する。
【００２５】
但し、この段階で、２本のビス(81)(81)によるフロントキャビネット(４)とバックキャビネット(６)の固定状態は、固定力の分布に偏りのある不十分なものであるが、少なくともフロントキャビネット(４)とバックキャビネット(６)の間に位置ずれを生じることのない固定状態が得られる。
【００２６】
その後、第２本体(２)に固定されているスライドモジュール(３)の４本のボス片(34)〜(34)をそれぞれ、図１１の如く第１本体(１)の内部に形成されている孔(12)へ嵌入せしめる。これによって、第２本体(２)に対する第１本体(１)の位置決めが施され、各ボス片(34)の先端面は、第１本体(１)のバックキャビネット(６)に形成されている座部(61)に対向することになる(図３参照)。
この結果、第１本体(１)と第２本体(２)とはスライドモジュール(３)を介して互いに位置決めされた状態となる。
【００２７】
この状態で、第１本体(１)から伸びているフレキシブルリード(51)を第１本体(１)に収容されている回路基板(５)のコネクター(図示省略)に連結する。
【００２８】
そして、この状態で４本のビス(８)〜(８)をそれぞれ第１本体(１)の背面側からスライドモジュール(３)の４本のボス片(34)〜(34)へねじ込む。これによって、図３及び図４に示す如く第１本体(１)がスライドモジュール(３)のスライド部材(32)に固定される。
【００２９】
これと同時に、４本のビス(８)〜(８)の締結力によって、第１本体(１)のフロントキャビネット(４)とバックキャビネット(６)が共締めされ、前記２本のビス(81)(81)による締結力と相俟って、両キャビネット(６)(４)は、十分な力で互いに固定された状態となる。
【００３０】
上記のスライド型電子機器によれば、第１本体(１)のフロントキャビネット(４)とバックキャビネット(６)を互いに固定するために、両キャビネット(４)(６)の固定のみに寄与する２本のビス(61)(61)と、第１本体(１)の背面側からスライドモジュール(３)のボス片(34)にねじ込まれた４本のビス(８)の、合計６本のビスが用いられているに過ぎない。
【００３１】
これに対し、従来の様に、第１本体(１)のフロントキャビネット(４)とバックキャビネット(６)を、両キャビネット(４)(６)の固定のみに寄与するビスだけで固定する構造では、第１本体(１)のフロントキャビネット(４)とバックキャビネット(６)を互いに固定するために少なくとも４本のビスが必要であると共に、第１本体(１)をスライドモジュール(３)のスライド部材(32)に連結するために少なくとも４本のビスが必要となる。
この様に、上記のスライド型電子機器によれば、組立に必要なボスの総本数を従来よりも削減することが出来る。
【００３２】
これによって、機器の組立・分解に必要な工数を削減することが出来、製造コストの低減を図ることが可能となる。
又、第１本体(１)に内蔵されている回路基板(５)を貫通するビスの本数を従来よりも削減することが可能となり、これによって回路基板(５)の実装面積の拡大を図ることが出来る。
【００３３】
尚、本発明の各部構成は上記実施の形態に限らず、特許請求の範囲に記載の技術的範囲内で種々の変形が可能である。例えば、組立に用いるビスの本数は上述の例に限定されるものではない。
又、第１本体(１)及び第２本体(２)に対するスライドモジュール(３)のベース部材(31)及びスライド部材(32)の連結関係は、上述した構成に限らず、第１本体(１)にベース部材(31)を連結し、第２本体(２)にスライド部材(32)を連結した構成を採用することも可能である。
【符号の説明】
【００３４】
(１)  第１本体
(２)  第２本体
(３)  スライドモジュール
(31)  ベース部材
(32)  スライド部材
(34)  ボス片
(４)  フロントキャビネット
(６)  バックキャビネット
(８)  ビス
(81)  ビス
【図１】
0005922486.tif 000002
【図２】
0005922486.tif 000003
【図３】
0005922486.tif 000004
【図４】
0005922486.tif 000005
【図５】
0005922486.tif 000006
【図６】
0005922486.tif 000007
【図７】
0005922486.tif 000008
【図８】
0005922486.tif 000009
【図９】
0005922486.tif 000010
【図１０】
0005922486.tif 000011
【図１１】
0005922486.tif 000012
【図１２】
0005922486.tif 000013
【図１３】
0005922486.tif 000014